(57)【要約】【目的】照明器具を内蔵した箱体を天井の裏側に取り付けて天井板に形成した開口から下方に光を照射する照明装置において、下側から天井板の開口部位を見上げたときに、庇体が開口内面を覆っているとともに傾斜部の存在によって天井板の下側面から開口が緩やかに見えようになり、これにより、外観を損なわせることがなく、また、傾斜部の防眩手段によって照明の光が下方に反射せず、天井板の開口の開口内面が照明の光で反射されるおそれもなく、違和感を与えるのを防止することにある。【構成】照明器具を内蔵した箱体を天井の裏側に取り付けて天井板に形成した開口から下方に光を照射する照明装置において、天井板の開口の開口内面には該開口内面を覆う庇体を設け、この庇体は、開口の開口中心から外側で且つ天井板の下側面から上側面に指向する傾斜部を有し、この傾斜部には防眩手段を設けている。【選択図】        図１
2005026099.tif 000002
【特許請求の範囲】
【請求項１】
天井スラブから吊り具により吊り下げて保持された支持部材に天井板を支持して設け、この天井板に開口を形成して設け、この開口を覆うように前記天井板の上側に下向き開口する箱体を前記支持部材に取付けて設け、この箱体内に前記開口から光を照射する照明器具を内蔵した照明装置において、前記天井板の前記開口の開口内面には該開口内面を覆う庇体を設け、この庇体は、前記開口の開口中心から外側で且つ前記天井板の下側面から上側面に指向する傾斜部を有し、この傾斜部には防眩手段を設けたことを特徴とする照明装置の防眩構造。
【請求項２】
前記庇体は、前記傾斜部に連設して前記天井板の下側面に一致する水平下面が形成された水平部を有し、前記傾斜部には、前記防眩手段として、水平方向で複数段の長溝を形成したことを特徴とする請求項１に記載の照明装置の防眩構造。
【請求項３】
前記天井板の前記開口の開口内面の下部位と前記庇体の前記水平部の下部位との間には、前記天井板の下側面と前記水平部の水平下面とを連続する充填剤が充填される窪部を設けたことを特徴とする請求項２に記載の照明装置の防眩構造。
【発明の詳細な説明】
【０００１】
【発明の属する技術分野】
この発明は、照明装置の防眩構造に係り、特に照明器具を内蔵した箱体を天井の裏側に取り付けて天井板に形成した開口から下方に光を照射する照明装置の防眩構造に関する。
【０００２】
【従来の技術】
照明装置には、天井の下側に設けられるものや、天井の上側に設けられる、いわゆる埋込型のものがある。この埋込型の照明装置には、天井スラブから吊り具により吊り下げて保持された支持部材に天井板を支持して設け、この天井板に開口を形成して設け、この開口を覆うように天井板の上側に下向きに開口する箱体を支持部材に取付けて設け、この箱体内に開口から光を照射する照明器具を内蔵しているものがある。
【０００３】
この照明装置は、照明器具を内蔵した箱体を天井板の支持部材に取付けており、箱体はそのままに照明器具を交換することによって、配光を容易に変更することができるため、室内の雰囲気を容易に変化させることができるものである。
【０００４】
従来、照明装置には、枠体と上天井板とで下方に開口する箱状の埋込部材を形成し、この埋込部材の枠体の内周に沿って間接照明器具を装着するとともに上天井板に直接的に照明器具を装着し、天井板に形成した開口に埋込部材を下側から埋め込んで天井板の支持部材である下地材に取付け、間接照明器具の内周側を覆うじゃま板を枠体の全周にわたって取付けたものがある（例えば、特許文献１参照。）。
【０００５】
【特許文献１】
特開平７−９９００８号公報（特許請求の範囲、図１〜図３）
【０００６】
【発明が解決しようとする課題】
ところで、従来の照明装置においては、天井板に形成した開口部位で、この開口の開口内面が垂直方向で天井板の板厚のまま現出してしまうので、天井板の水平方向の下側面と開口の垂直方向の開口内面とが直角形状となり、下側から天井板の開口部位を見上げたときに、天井板の下側面から前記開口が急に深い窪み状態に見えてしまい、このため、外観が損なわれるとともに、垂直方向で天井板の板厚の開口内面が照明器具からの照明の光によって過渡に反射して極端に目立ってしまい、違和感を与えてしまうという不都合があった。
【０００７】
【課題を解決するための手段】
そこで、この発明は、上述不都合を除去するために、天井スラブから吊り具により吊り下げて保持された支持部材に天井板を支持して設け、この天井板に開口を形成して設け、この開口を覆うように前記天井板の上側に下向き開口する箱体を前記支持部材に取付けて設け、この箱体内に前記開口から光を照射する照明器具を内蔵した照明装置において、前記天井板の前記開口の開口内面には該開口内面を覆う庇体を設け、この庇体は、前記開口の開口中心から外側で且つ前記天井板の下側面から上側面に指向する傾斜部を有し、この傾斜部には防眩手段を設けたことを特徴とする。
【０００８】
【発明の実施の形態】
この発明は、天井板の開口の開口内面には該開口内面を覆う庇体を設け、この庇体は、開口の開口中心から外側で且つ天井板の下側面から上側面に指向する傾斜部を有し、この傾斜部には防眩手段を設けることから、下側から天井板の開口部位を見上げたときに、庇体が開口内面を覆っているとともに傾斜部の存在によって天井板の下側面から開口が緩やかに見えようになり、これにより、外観を損なわせることがなく、また、傾斜部の防眩手段によって照明の光が下方に反射せず、天井板の開口の開口内面が照明の光で反射されるおそれもなく、違和感を与えるのを防止することができる。
【０００９】
【実施例】
以下図面に基づいてこの発明の実施例を詳細且つ具体的に説明する。図１〜４は、この発明の第１実施例を示すものである。図３、４において、２は部屋、４は天井スラブ、６は天井である。部屋２の上部を形成する建物の躯体である天井スラブ４には、天井６を設けている。
【００１０】
天井６は、天井スラブ４から吊り具８により吊り下げて保持された支持部材１０に天井板１２を支持して構成される。吊り具８は、天井スラブ４から部屋２の下方に向かって垂設され、下端のねじ部１４にナット１６により保持具１８を取付け、支持部材１０を保持している。支持部材１０は、保持具１８に保持される断面Ｃ形状の第１の支持部材１０−１と、この第１の支持部材１０−１に対して交差するように保持される断面Ｍ字形状の第２の支持部材１０−２とからなり、第２の支持部材１０−２に天井板１２を支持している。
【００１１】
前記天井６には、埋込型の照明装置２０を設けている。照明装置２０は、天井６の天井板１２に形成された、例えば、長四角形状の開口２２を覆う箱体２４を設け、この箱体２４内に照明器具２６を内蔵している。
【００１２】
箱体２４は、開口２６を囲む長四角筒形状の周壁部材２８とこの周壁部材２８の上端を塞ぐ平板形状の上側部材３０とからなり、有蓋無底形状に形成され、天井板１２の上側で下向きに開口するものである。上側部材３０には、箱体２４内側に取付レール３２を取り付け、この取付レール３２に取付アーム３４を介して前記照明器具２６を取り付けている。照明器具２６は、取付アーム３４によって配光方向を変更可能に取付レール３２に取り付けられている。
【００１３】
箱体２４は、天井板１２に対する上下方向位置を調整可能に取付具３６により第１の支持部材１０−１に取り付けて設けている。取付具３６は、箱体２６に取り付けられる箱体側取付体３８と、第１の支持部材１０−１に取り付けられる支持部材側取付体４０とからなる。
【００１４】
前記箱体側取付体３８は、図２、３に示す如く、箱体２４の周壁部材２８に取り付けられる箱体側取付部４２と、天井板１２の上側面１２Ｕに当接される延長部４４と、天井板１２の開口２２内に挿入されて開口内面４６に接する内接部４８と、この内接部４８に連設した庇体５０とが一体的になって構成されている。
【００１５】
前記箱体側取付体３８の箱体側取付部４２は、箱体２４の周壁部材２８に一側を当接させて取り付けられている。箱体２４の周壁部材２８に他側には、複数のあり５２・あり溝５４が一列に形成された箱体係合部５６を設けている。
【００１６】
支持部材側取付体４０は、図３に示す如く、互いに直交して略Ｌ字形状に連続する支持部材側第１取付部５８と、支持部材側第２取付部６０とで構成されている。支持部材側第１取付部５８には、複数のあり６２・あり溝６４が一列に形成された支持部材側第１係合部６６を設け、支持部材側第２取付部６０には、複数のあり６８・あり溝７０が一列に形成された支持部材側第２係合部７２を設けている。
【００１７】
前記箱体側取付体３８の庇体５０は、図１、３に示す如く、天井板１２の開口２２の開口内面４６を覆うように配置され、開口２２の開口中心２２Ｃから外側で且つ天井板１２の下側面１２Ｂから上側面１２Ｕに指向する傾斜部７４を有するとともに、この傾斜部７４に連設して天井板１２の下側面１２Ｂに一致する水平下面７６Ｂを形成した水平部７６を有し、断面において突端が開口２２の開口中心２２Ｃ側に指向した角度αの鋭角でシャープエッジ状に形成されている。開口中心２２Ｃは、図４に示す如く、照明器具２６の中心と一致している。
【００１８】
傾斜部７４の表面には、防眩手段７８が設けられる。この防眩手段７８は、図１に示す如く、例えば、水平方向で複数段の長溝８０を形成して構成されている。
【００１９】
この長溝８０は、開口２２の一辺に沿った長さ分の長尺形状であり、水平方向の水平面８０Ｈと、照明器具２６側の斜め上方に指向した所定角度θで傾斜した上側傾斜面８０Ｋとで形成され、図２に示す如く、照明器具２６から照射された光（可視光線）が、下方に行かないように上方に反射させて配光を変更し、防眩性（グレア）を抑える光学バッフルとしての機能を有し、防眩性（グレア）を向上するものである。
【００２０】
また、天井板１２の開口２２の開口内面４６の下部位と庇体５０の水平部７６の下部位との間には、天井板１２の下側面１２Ｂと水平部７６の水平下面７６Ｂとを連続する充填剤８２が充填される窪部８４を設けた。
【００２１】
この窪部８４は、開口内面４６の下部位の隅部位に略三角形状に形成した板側窪部８４−１と、庇体５０の水平部７８の水平下面７８Ｂに略三角形状に形成した庇側窪部８４−２とで共働して形成されたものである。
【００２２】
次に、この第１実施例の作用を説明する。
【００２３】
照明装置２の使用のときには、照明器具２６から照射された光が、防眩手段７８の長溝８０の水平方向の水平面８０Ｈに反射し、そして、上方に配光が変更される。これにより、照明器具２６からの光は、下方に行くことがなく、上方に配光されて防眩性（グレア）を向上し、不快感を与えるのを防止することができる。
【００２４】
また、下側から天井板１２の開口２２部位を見上げたときに、庇体５０が開口内面４６を覆っているとともに傾斜部７４の存在によって天井板１２の下側面１２Ｂから開口２２が緩やかに見えようになり、これにより、外観を損なわせることがない。
【００２５】
この結果、天井板１２の開口２２の開口内面４６には該開口内面４６を覆う庇体５０を設け、この庇体５０は、開口２２の開口中心２２Ｃから外側で且つ天井板１２の下側面１２Ｂから上側面１２Ｕに指向する傾斜部７４を有し、この傾斜部７４には防眩手段７８を設けたことから、下側から天井板１２の開口２２部位を見上げたときに、庇体５０が開口内面４６を覆っているとともに傾斜部７４の存在によって天井板１２の下側面１２Ｂから開口２２が緩やかに見え、つまり、開口２２部位が薄く見えて違和感がなく、これにより、外観を損なわせることがなく、また、傾斜部７４の防眩手段７８によって照明の光が下方に反射せず、天井板１２の開口２２の開口内面４６が照明の光で反射されるおそれもなく、違和感をなくすことができる。
【００２６】
また、庇体５０は、傾斜部７４に連設して天井板１２の下側面１２Ｂに一致する水平下面７６Ｂを形成した水平部７６を有し、傾斜部７４には、防眩手段７８として、水平方向で複数段の長溝８０を形成したことから、庇体５０には開口内面４６を覆う機能と防眩機能とをコンパクトに集約させることができ、構成が簡単で、保守点検が容易で、しかも、廉価とすることができる。
【００２７】
更に、天井板１２の開口２２の開口内面４６の下部位と庇体５０の水平部７６の下部位との間には、天井板１２の下側面１２Ｂと水平部７６の水平下面７６Ｂとを連続する充填剤８２が充填される窪部８４を設けたことから、天井板１２の下側面１２Ｂと水平部７６の水平下面７６Ｂとを充填剤８２によって滑らかに連続させることができ、天井板１２の下側面１２Ｂと水平部７６の水平下面７６Ｂとで段差が生ずるのを防止し、見栄えが良くなり、外観を向上することができる。
【００２８】
図５は、この発明の第２実施例を示すものである。
【００２９】
以下の実施例においては、上述の第１実施例と同一機能を果たす箇所には同一符号を付して説明する。
【００３０】
この第２実施例の特徴とするところは、以下の点にある。即ち、庇体５０の傾斜部７４に設ける防眩手段７８として、傾斜部７４の表面に形成した凹所１０２に、光を吸収する多数本の繊維体１０４を、照明器具２６側に指向して植設した。
【００３１】
この第２実施例によれば、照明器具２６からの光は、繊維体１０４によって吸収され、防眩性（グレア）を向上し、違和感を与えるのを効果的に防止することができる。
【００３２】
図６は、この発明の第３実施例を示すものである。
【００３３】
この第３実施例の特徴とするところは、以下の点にある。即ち、庇体５０の傾斜部７４に設ける防眩手段７８として、傾斜部７４の表面に、放物線形状の放物状凹部１０６を複数段に形成した。
【００３４】
この第３実施例によれば、照明器具２６からの光は、放物線形状の放物状凹部１０６によって効果的に上方に反射され、これにより、防眩性（グレア）を向上し、違和感を与えるのを防止することができる。
【００３５】
【発明の効果】
以上詳細な説明から明らかなようにこの発明によれば、照明器具を内蔵した箱体を天井の裏側に取り付けて天井板に形成した開口から下方に光を照射する照明装置において、天井板の開口の開口内面には該開口内面を覆う庇体を設け、この庇体は、開口の開口中心から外側で且つ天井板の下側面から上側面に指向する傾斜部を有し、この傾斜部には防眩手段を設けたことから、下側から天井板の開口部位を見上げたときに、庇体が開口内面を覆っているとともに傾斜部の存在によって天井板の下側面から開口が緩やかに見えようになり、これにより、外観を損なわせることがなく、また、傾斜部の防眩手段によって照明の光が下方に反射せず、天井板の開口の開口内面が照明の光で反射されるおそれもなく、違和感を与えるのを防止し得る。
【図面の簡単な説明】
【図１】第１実施例において図３の天井板の開口部位に配置された庇体の要部拡大側面図である。
【図２】第１実施例において取付具の側面図である。
【図３】第１実施例において図４の取付具部位の要部拡大側面図である。
【図４】第１実施例において照明装置が取り付けられた天井の断面図である。
【図５】第２実施例において天井板の開口部位に配置された庇体の要部拡大側面図である。
【図６】第３実施例において天井板の開口部位に配置された庇体の要部拡大側面図である。
【符号の説明】
２  部屋
４  天井スラグ
６  天井
８  吊り具
１０  支持部材
１２  天井板
２０  照明装置
２２  開口
２４  箱体
２６  照明器具
３６  取付具
４６  開口内面
４８  内接部
５０  庇体
７４  傾斜部
７６  水平部
７８  防眩手段
８０  長溝
８２  充填剤
８４  窪部
【図１】
2005026099.tif 000003
【図２】
2005026099.tif 000004
【図３】
2005026099.tif 000005
【図４】
2005026099.tif 000006
【図５】
2005026099.tif 000007
【図６】
2005026099.tif 000008
【手続補正書】
【提出日】平成15年7月14日(2003.7.14)
【手続補正１】
【補正対象書類名】図面
【補正対象項目名】全図
【補正方法】変更
【補正の内容】
【図１】
2005026099.tif 000009
【図２】
2005026099.tif 000010
【図３】
2005026099.tif 000011
【図４】
2005026099.tif 000012
【図５】
2005026099.tif 000013
【図６】
2005026099.tif 000014